(57)【要約】【課題】電池残量がユーザ設定時間分となった機能の使用可能時間をさらに延ばすと共に、３個以上の機能に対して優先付けを行って各機能を優先度順に確保することができる携帯端末を提供する。【解決手段】機能として、動画再生機能、通話機能、メール機能、カメラ機能があり、各機能は、高性能だが消費電力の比較的大きい通常モードと、性能は若干劣るが低消費電力の省電力モードの片方または両方を有する。制御部２は、ユーザ操作に基づいて、電池残量が減ってきた場合にどの機能を動作確保したいかの優先度および動作確保時間を、優先度リスト３１および電池残量確保リスト３２に記録する。そして、定期的に、電池４の残量を測定し、先に設定された優先度および動作確保時間に基づいて、現時点において各機能毎に動作許可できる動作モードを設定する。【選択図】図１
2009130860.tif 000002
【特許請求の範囲】
【請求項１】
複数のアプリケーションを実行する機能を備えた携帯端末において、
電力の供給を行う電池と、
前記電池の電池残量を測定する電池残量測定部と、
前記アプリケーション毎の優先順位、及びこのアプリケーション毎に設定された動作確保時間に対応する電池残量基準値を記憶する記憶手段と、
前記電池残量測定部によって測定された電池残量と前記記憶手段に記憶されている電池残量基準値とを比較する比較手段と、
前記比較手段によって測定された電池残量が電池残量基準値以下になったことが検出されると、この電池残量基準値に対応して記憶されている優先順位より低い優先順位が設定されているアプリケーションを特定し、特定したアプリケーションの動作を停止させるように制御する制御手段と
を具備したことを特徴とする携帯端末。
【請求項２】
前記複数のアプリケーションのうちの少なくとも１つのアプリケーションは、通常モードと、この通常モードより消費電力を抑えた省電力モードとを有し、
前記制御手段は、前記比較手段によって検出された電池残量基準値に対応するアプリケーションが省電力モードを有している場合は、このアプリケーションのモードを省電力モードに切り替えることを特徴とする請求項１に記載の携帯端末。
【発明の詳細な説明】
【技術分野】
【０００１】
本発明は、電池で駆動される携帯端末において、電池残量が少なくなってきたときに実行できる機能を制限し、最低限の動作を確保することのできる携帯端末に関する。
【背景技術】
【０００２】
電話機能とディジタルカメラ等の付加機能部を有し、電池が減ってきた場合でも最低限の条件として通信部を使用できる状態を保つ電気機器がある（特許文献１参照。）。この特許文献１の電気機器では、通信部を使用可能としたい時間をユーザ設定することができ、ＣＰＵは、この通信部で使用する電力を電池残量から減算した電力に基づいて付加機能部の動作を許容できるか判断し、許容できない場合は、付加機能部の使用を禁止するようにすることで通信部の使用可能時間を確保している。
【０００３】
同様に、バッテリーの残量に応じて機能を制限する携帯端末装置がある（特許文献２参照。）。この特許文献２の携帯端末装置は、放送番組を視聴中、バッテリー残量の低下レベルにより、グラフィックス表示機能の停止、映像表示機能の停止、と段階的に携帯端末装置の消費電力を減らしていき、最後は音声出力のみにすることで、段階的に機能は制限されていくが可能な限り放送を受信し続けるようにしている。
【特許文献１】特開平１０−３０４５７８号公報（頁４〜５、図１〜図６）
【特許文献２】特開２００４−３３６３３０号公報（頁１〜４、図２〜図３）
【発明の開示】
【発明が解決しようとする課題】
【０００４】
特許文献１の電気機器では、電池残量が減ってきた場合に、最低限の条件として通信部をユーザ設定時間使用できるようにしている。しかし、この通信部の機能は単一であり、電池残量がユーザ設定時間分となった後にそれ以上の時間を確保することはできない。また、通信部と付加機能部の２つの機能がある場合に対応しているが、３個以上の機能がある場合に、それぞれの機能についての動作確保についての記載はない。特許文献２にもその記載はない。
【０００５】
本発明は、このような問題を解決し、電池残量がユーザ設定時間分となった後に、動作確保したい機能の使用可能時間をさらに延ばすと共に、３個以上の機能がある場合でも、それぞれに対して優先付けを行って各機能の動作を優先度順に確保することができる携帯端末を提供することを目的とする。
【課題を解決するための手段】
【０００６】
上記目的を達成するために、本発明の携帯端末は、複数のアプリケーションを実行する機能を備えた携帯端末において、電力の供給を行う電池と、前記電池の電池残量を測定する電池残量測定部と、前記アプリケーション毎の優先順位、及びこのアプリケーション毎に設定された動作確保時間に対応する電池残量基準値を記憶する記憶手段と、前記電池残量測定部によって測定された電池残量と前記記憶手段に記憶されている電池残量基準値とを比較する比較手段と、前記比較手段によって測定された電池残量が電池残量基準値以下になったことが検出されると、この電池残量基準値に対応して記憶されている優先順位より低い優先順位が設定されているアプリケーションを特定し、特定したアプリケーションの動作を停止させるように制御する制御手段とを具備したことを特徴としている。
【発明の効果】
【０００７】
本発明によれば、電池残量に応じて複数のアプリケーションそれぞれの動作をユーザの希望に応じて制限することができるため、ユーザが優先的に利用したいアプリケーションは、他のアプリケーションよりも長時間利用することが可能となる。
【発明を実施するための最良の形態】
【０００８】
以下、本発明の実施例を、図面を参照して説明する。
【実施例１】
【０００９】
図１は、本発明の実施例１及び２に係る携帯端末のブロック図である。携帯端末１００は、キー操作部１、制御部２、記憶部３、電池４、表示制御部５、画像処理部６、音声処理部７、カメラ８、ＬＣＤなどからなる表示部９、マイクロフォン１０、スピーカ１１、無線送受信部１２、アンテナ１３、スイッチ回路１４などから構成される。
【００１０】
キー操作部１は、ユーザ操作用のキーであり、複数の数字キーやファンクションキーを備え、電話番号の入力、メール文章の作成、受信したメールの読出しなどの各種操作を行うとともに、動画処理制御機能２４、メール処理制御機能２５、通話処理機能２６、およびカメラ制御機能２７のそれぞれについて、電池残量に応じ、どの機能を優先的に動作させるかを示す優先度情報、および、どれだけの動作時間を確保したいかを示す時間情報を設定するためにも利用される。
【００１１】
制御部２には、図示しないＣＰＵ、ＲＡＭ、ＲＯＭなどから構成され、ＲＯＭに記憶されているプログラムを実行することで様々な機能が実現される。特に本願発明に関係する機能として、電池確保設値定機能２１、電池確保機能２２、電池残量取得機能２３、動画処理制御機能２４、メール処理制御機能２５、通話処理機能２６、およびカメラ制御機能２７がある。更に、この内の、動画処理制御機能２４、メール処理制御機能２５、カメラ制御機能２７には、高性能だが消費電力の比較的大きい通常モードと、性能は若干劣るが消費電力の比較的小さい省電力モードの２つの動作モードがあり、また、通話処理機能２６には、通常モードのみがある。
【００１２】
記憶部３には、優先度リスト３１、電池残量確保リスト３２、最大動作時間リスト３３、動作許可状態リスト３４、及び動作状況リスト３５が記憶されている。なお、この例では、各リストが制御部２の外側にあるメモリに記憶されるとしているが、例えば、制御部２が備える不揮発性のＲＡＭに確保しても良い。また、各リストについては後に図２を参照して詳しく説明する。
【００１３】
ここで制御部２で実行される各機能について説明する。  
電池確保設定機能２１は、操作キー１が操作されることによって入力された要求に基づいて、機能毎、即ち、動画処理制御機能２４、メール処理制御機能２５、通話処理機能２６、およびカメラ制御機能２７について、指定された前記優先度情報および時間情報を、優先度リスト３１および電池残量確保リスト３２に記録する。
【００１４】
更に、電池確保値設定機能２１は、ユーザが設定した前記動作時間を用い、最大動作時間リスト３３を参照して、電池残量（％）に変換して電池残量確保リスト３２に通常モード時残量として記録する。なお、実施例２では、さらに、省電力モード時残量も記録する。これは、最大動作時間リスト３３の最大動作可能時間に対する電池残量確保リスト３２の動作時間の比率で算出される。
【００１５】
例えば、動画処理制御機能２４は、通常モードでは、３時間÷１５時間＝２０％となる。これは、電池残量が２０％の場合、通常モードで単独動作した場合に３時間確保できることを意味する。また、動画処理制御機能２４は、省電力モードでは、３時間÷３５時間＝８．６％となる。これは、電池残量が８．６％の場合、省電力モードで単独動作した場合に３時間確保できることを意味する。そして他の機能についても同様に算出され、登録が終了する。
【００１６】
電池確保機能２２は、定期的に、電池４の現時点の残量情報を電池残量取得部５から入手し、ユーザにより設定された優先度リスト３１および電池残量確保リスト３２に基づいて、現時点において各機能毎に動作許可できるか否かを判定し、この判定した結果を動作許可状態リスト３４に記録する。この動作許可状態リスト３４に設定される動作モードは、通常モード、省電力モード、および動作不可モードのいずれかである。
【００１７】
更に、電池確保機能２２は、動作状況リスト３５を参照して既に実行中の機能の動作モードが、前記動作許可状態リスト３４の動作モードと不一致になった場合は、動作許可状態リスト３４に設定された動作モードを、実行中の機能に対して通知して動作モードの変更を促す。
【００１８】
また、各機能は、キー操作部１が操作されて動作開始する場合は、電池確保機能２２に動作モードを問い合わせ、電池確保機能２２が前記動作許可状態リスト３４に設定されている動作モードを読出すことによって通知された動作モードに基づいて実行を開始するが、もし通知された動作モードが動作不可モードであれば、実行を開始しない。この場合、制御部２は表示制御部５を制御し、ユーザに対して起動要求のあった機能は実行できない旨を示すメッセージを表示部９に表示させる。
【００１９】
電池残量取得機能２３は電池４の電池電圧を測定し、例えば制御部２のＲＯＭに予め記憶されている満充電時の電圧とから電池残量情報（％）を求め、この電池残量情報を制御部２のＲＡＭに記憶する。そして、電池確保制機能２２からの要求に応じてＲＡＭに記憶している電池残量情報を電池確保制御機能２２に通知する。
【００２０】
電池４は、二次電池などであり、携帯端末１００の全体に電源供給を行う。  
表示制御部５は、制御部２および画像処理部６からの要求に基づいて表示部９へのテキストデータ、静止画、動画などの表示や、携帯端末１００の状態、即ち電池残量や電波状態などの通知情報の表示を制御する。
【００２１】
画像処理部６は、制御部２の動画処理制御機能２４からの指示に基づいてＪＰＥＧなどの符号化方式で圧縮された静止画を復号、およびマルチメディアファイルに含まれるＭＰＥＧ４やＨ．２６４などの符号化方式で圧縮された動画像を復号し、表示制御部５に対して表示要求を行うとともに、このマルチメディアファイルに含まれるＡＡＣなどの符号化方式で圧縮されたオーディオデータを復号してスピーカ１１から出力させる。なお、動画処理制御機能２４は、電池確保機能２２の指示に基づいて通常モードまたは省電力モードで動作することができ、通常モードで動作する場合は、マルチメディアファイルに含まれる動画像を高い再生ビットレートで、かつフルスクリーン表示させるように制御し、一方、省電力モードで動作する場合は、低い再生ビットレートで、かつフルスクリーン表示に比べて狭い表示エリアで表示を行うように制御する。すなわち、画質は良いが消費電力が比較的大きい通常モードと、画質は若干劣るが消費電力の比較的小さい小電力モードを切り替えて動作することが可能となっている。
【００２２】
なお、通常モードと省電力モードの別の例として、例えば、ＴＶ視聴の際には通常モード部では、映像と音声両方を同時再生し、省電力モードでは映像のみ又は音声のみ再生するようにしてもよい。
【００２３】
また、通常モードは、高性能な専用のハードウェアを動作させて実現し、省電力モードは、汎用のハードウェアを動作させ、パフォーマンスは劣るが省電力となる構成であってもよい。
【００２４】
音声処理部７は、制御部２の通話処理機能２６からの要求に基づいてマイクロフォン１０から入力された音声をディジタル信号に変換するとともにＧ．７２９やＥＶＲＣなどの音声符号化方式に基づいて音声の符号化を行い、この符号化した音声を無線送受信部１２に出力する。また、無線送受信部１２を介して基地局から受信した符号化された音声が入力されると、同様の音声符号化方式に基づいて復号を行って音声のディジタル信号を得るとともに、このディジタル信号をアナログ信号に変換してスピーカ１１から出力する。なお、通話処理機能２６は通常モードのみで動作するものとしており、このため、電池残量に応じて、電池確保機能２２の指示に基づいて通常モードまたは動作不可モードとなる。
【００２５】
カメラ８は、ＣＣＤなどのモジュールからなり、制御部２のカメラ制御機能２７によって制御され、静止画や動画像を撮影するためのものである。カメラ制御機能２７は、電池確保機能２２の指示に基づいて通常モードまたは省電力モードで動作し、通常モードでは、高解像度モードやフラッシュを用いた撮影を、省電力モードでは、低解像度などの省電力での動作を行うことから、このカメラ制御機能２７の動作モードに応じて撮影する解像度が切り替えられる。また、電池確保機能２２の制御に寄らず、キー操作部１を操作することで動作モードを設定することも可能であり、現地確保機能２２によって指示される動作モードに反しない限り、任意の動作モードに基づいてカメラ８を動作させることが出来る。
【００２６】
ここで制御部２のメール処理制御機能２５につい説明する。メール処理制御機能２５は、電池確保機能２２の要求に応じて通常モードまたは省電力モードで動作し、この２つの動作モードの間で消費電力に殆ど差はないが、制御される無線送受信部１２の消費電力の差がある。具体的には、省電力モードでは、通常モードに比べて消費電力を抑えるため、例えば、メール表示中やメール作成中は無線送受信部１２の電源をオフにし、キー操作部１が操作されメールの送信要求が入力されると無線送受信部１２をオンにする。また、省電力モードで動作しているときは、テキストのみの入力とし、メモリに記憶している静止画や動画像の添付動作を禁止するようにしても良い。この場合、添付する静止画または動画像を選択するために画像処理部６で復号させる動作を行わせる必要がないため、消費電力を抑えることができる。
【００２７】
無線送受信部１２は、音声通話を行っているときは、音声処理部７で符号化された音声を受信してアンテナ１３を介して基地局に送信させるとともに、アンテナ１３を介して受信した符号化された音声信号を音声処理部７に出力する。また、メール処理機能２５に基づいて作成されたメールを受信してアンテナ１３を介して基地局に送信するとともに、アンテナ１３を介して受信したメールを制御部２に出力する。
【００２８】
図２は、記憶部３に記憶される優先度リスト３１、電池残量確保リスト３２、最大動作時間リスト３３、動作許可状態リスト３４、及び動作状況リスト３５を説明する図である。
【００２９】
優先度リスト３１の優先度と電池残量確保リスト３２の動作確保時間は、キー操作部１を用いてユーザによって設定操作が行われると、電池確保値設定機能２１により記録される。
【００３０】
ユーザは、各機能に関して、電池が減ってきたときに動作確保したい時間、即ち動作確保時間と、どの機能を優先してその動作を確保するかを示す優先度を予め設定することができる。これにより、ある機能Ｆに関して設定した電池残量になった時点以降、その機能Ｆより低い優先度の機能を自動的に動作禁止させ、機能Ｆおよびこの機能Ｆより優先度の高い機能について動作を許容することで、機能Ｆの動作時間をある程度保証することができる。勿論、この機能Ｆより優先度の高い機能がない場合は、設定した動作時間を保証することができる。
【００３１】
最大動作時間リスト３３には、各機能の内の１つの機能を通常モード又は省電力モードを電池４の満充電状態において動作させたときのそれぞれの動作可能時間が、予め実験などで測定されて記録されている。
【００３２】
動作許可状態リスト３４は、電池４の減少状況に合わせて、電池確保機能２２によって各機能の動作許可状態を示す動作モードが設定されるものであり、電池残量が１００％のときは、すべての機能に対して通常モードが設定される。ユーザによる各機能の優先度と動作確保時間が、優先度リスト３１および電池残量確保リスト３２に登録された後、電池確保機能２２は、定期的に電池４の電圧を確認しながら、優先度リスト３１と電池残量確保リスト３２を参照して、各機能の動作モードを決定し、それを動作許可状態リスト３４に記録する。この動作については後に図４乃至図６を参照して詳しく説明する。
【００３３】
なお、以上説明した優先度リスト３１、電池残量確保リスト３２、最大動作時間リスト３３、及び動作許可状態リスト３４のいずれか、例えば、動作許可状態リスト３４には、動作モードとは別に、各機能が有する所有モードとして、通常モードおよび省電力モードの有無が予め記録されており、それを確認することで各機能が有する通常モードまたは省電力モードの有無が確認できる。
【００３４】
動作状況リスト３５は、動作中の機能を示す名称および、通常モードか省電力モードのどちらで動作中かが電池確保機能２２により記録され、動作中の１乃至複数の機能を示す名称が記録される。
【００３５】
図３は、本発明の実施例１及び２に係る携帯端末の電池確保値設定機能２１の動作フローチャートである。  
ユーザは、電池確保に関する初期設定を行いたい場合、キー操作部１を操作して設定するためのプログラムを起動させる。制御部２がこのプログラムを実行することで電池確保値設定機能２１の機能が実現される。そして、電池確保値設定機能２１が起動されると、電池確保値設定機能２１は表示制御部５に対してユーザインターフェース用の表示画面の表示を指示する。
【００３６】
ユーザは、電池残量が徐々に減ってきた場合に、動画処理制御機能２４、メール処理制御機能２５、通話処理機能２６、およびカメラ制御機能２７に対して、どの機能を優先して動作させたいか、また、どれだけの動作時間を確保したいかを、表示部９に表示された機能一覧を見ながら、キー操作部１を操作して設定する。
【００３７】
電池確保値設定機能２１は、各機能について、優先度および動作確保時間に関する上記ユーザ操作をチェックして、優先度リスト３１および電池残量確保リスト３２に登録する（ステップＳ１）。
【００３８】
登録した例として、図２の優先度リスト３１および電池残量確保リスト３２に示すように、電池残量が徐々に減ってきた場合に最も確保したい機能として、メール機能を優先度１位で６時間確保、通話機能を優先度２位で４．５時間確保、動画機能を優先度３位で３時間確保、そして最も優先度の低い機能として、カメラ機能を優先度４位で０．５時間確保が登録されている。
【００３９】
次に、電池確保値設定機能２１は、電池残量確保リスト３２に登録された時間を、最大動作時間リスト３３を基にして、電池残量（％）に変換して、電池残量確保リスト３２に記録する（ステップＳ２）。この例では、動画機能は、通常モードでは、３時間÷１５時間＝２０％、省電力モードでは、３時間÷３５時間＝８．６％となる。そして、他の機能も同様に算出され、初期登録が終了する。
【００４０】
なお、ユーザは、全ての機能に対して優先度を設定する必要はなく、この場合、優先度が設定されていない機能は、優先度が最も低いと見なされる。
【００４１】
図４は、本発明の実施例１に係る携帯端末１００の電池確保機能２２の電池残量チェックと動作モードの設定に関する動作を示すフローチャートである。また、図５は、電池残量減少における動作許可状態リスト３４の推移を説明する図である。図４および図５により以下に動作を説明する。
【００４２】
電池確保機能２２は、定期的に起動されて電池残量チェックと動作モードの設定を実行する。ここで定期的とは、電池残量が徐々に減り、電池残量確保リスト３２の動作確保時間が精度良く検出できる程度の頻度であればよく、例えば、カメラ機能の動作確保時間０．５時間が精度良く検出できる周期として、１分や数１０秒周期程度で起動されるようにすればよい。
【００４３】
まず、電池４の現時点の電池残量（％）を電池残量取得機能２３から取得し、取得した電池残量と電池残量確保リスト３２の通常モード時残量の動作確保時間比率（％）を比較する。そして、現時点の電池残量が電池残量確保リスト３２に登録されている通常モード時残量以下の機能を抽出する（ステップＳ１１）。
【００４４】
ステップＳ１１で、該当する機能が無いと判定された場合、すなわち、全ての機能について現時点の電池残量が電池残量確保リスト３２の通常モード時残量に設定されている値を超えている場合、動作許可状態リスト３４の全機能の動作モードを通常モードにする（ステップＳ１２）。
【００４５】
一方、ステップＳ１１で、電池残量（％）が通常モード時残量以下となる機能が抽出された場合、抽出された機能の内、最も優先度の高い機能を特定するとともに、動作許可状態リスト３４に予め記録されている所有モードを参照して、この機能が省電力モードを有している場合は、動作許可状態リスト３４に登録されている動作モードをを省電力モードにし、省電力モードを有していない場合は動作許可状態リスト３４に登録されている動作モードを通常モードにする（ステップＳ１３）。
【００４６】
さらに、全ての機能（この例では４個）に関して、Ｓ１３で特定した最も優先度の高い機能より低い優先度の機能の動作モードを動作不可モードにする（ステップＳ１４）。また、全ての機能に関して、Ｓ１３で特定した最も優先度の高い機能より高い優先度の機能は通常モードにする（ステップＳ１５）。
【００４７】
なお、ユーザによって予め省電力モードが設定されている場合には、省電力モードが維持される。即ち、ユーザによって設定された機能の動作をある程度保証するだけでなく、より優先度の高い機能については、ユーザの意思で使用を継続することができる。
【００４８】
なお、ステップＳ１５において、Ｓ１３での最も優先度の高い機能より高い優先度の機能を通常モードにしてユーザの意思で使用できる利便性を上げたが、省電力モードを有するのであれば省電力モードに設定を変更してもよい。このようにすれば、ステップＳ１３で特定した機能の動作確保時間に対して、より近い時間だけ動作を保証することが出来る。
【００４９】
以下、ステップＳ１１〜Ｓ１５で示す電池４の残量の推移と動作許可状態リスト３４の動作モードの推移について具体的に説明する。  
電池残量確保リスト３２の通常モード時残量に設定されている動作確保時間比率（％）は、ユーザが設定した動作確保時間に相当する残量比率として、大きい順から動画再生機能の２０％、通話機能の１５％、メール機能の１０％、及びカメラ機能の５％が初期設定されている。なお、電池残量確保リスト３２に登録される動画再生機能は動画処理制御機能２４の動作モードを、メール機能はメール処理制御機能２５の動作モードを、通話機能は通話処理機能２６の動作モードを、カメラ機能はカメラ制御機能２７の動作モードをそれぞれ規定するモード情報を示している。
【００５０】
（電池１１の残量が１００％〜２０％超の間）
電池確保機能２２は、定期的に起動されるので、起動された時点では、電池１１の残量は様々な値を取り得る。起動された各時点で、電池１１の残量が例えば、１００％、・・、９０％、・・・、３０％、・・、２１％（２０％超）などの各値の場合、ステップＳ１１において、電池確保機能２２は「該当の機能なし」、すなわち、現在の電池残量が電池残量確保リスト３２の通常モード時残量リストに設定された動作確保時間比率（％）の全てを超えていると判定し、ステップＳ１２により各機能の動作モードを通常モードとする。これにより、図５の動作許可状態リスト３４の「残量１００〜２０超」欄に図示した通常モード状態となる。
【００５１】
（電池１１の残量が２０％〜１５％超の間）
その後、電池が消費され残量が例えば、２０％、１９％、１８％、１７％、１６％（１５％超）などの各値の場合、ステップＳ１１において、電池確保機能２２は、通常モード時残量が２０％に設定されている機能、すなわち動画再生機能を抽出する。そして、ステップＳ１３において、電池確保機能２２は、動画再生機能が省電力モードを有しているので、動作許可状態リスト３４の動画再生機能を省電力モードにし、動作確保時間を保証する（図５の動作許可状態リスト３４の「残量２０〜１５超」欄の二重枠で図示した部分）。
【００５２】
また、電池確保機能２２は、ステップＳ１４において、優先度３位の動画再生機能より低い優先度４位のカメラ機能を動作不可モードにし、そしてステップＳ１５において、優先度１位のメール機能と優先度２位の通話機能を通常モードにし、優先度による動作モードを設定する（図５の動作許可状態リスト３４の「残量２０〜１５超」欄の一重枠で図示した部分）。
【００５３】
（電池１１の残量が１５％〜１０％超の間）
その後、更に電池が消費されて残量が例えば、１５％、１４％、１３％、１２％、１１％（１０％超）などの各値の場合、ステップＳ１１において、電池確保機能２２は、電池残量確保リスト３２に設定されている動作確保時間を満たすことが出来なくなっている機能、即ち２０％が設定されている動画再生機能と１５％が設定されている通話機能の２つの機能を抽出する。この結果、ステップＳ１３において、電池確保機能２２は、この２つの機能の内の優先度の高い機能を優先度リスト３１でチェックし、優先度２位の通話機能であることを確認する。そして、電池確保機能２２は、通話機能が省電力モードを有していないので、動作許可状態リスト３４の通話機能を通常モードにし、動作確保時間を保証する（図５の動作許可状態リスト３４の「残量１５〜１０超」欄の二重枠で図示した部分）。
【００５４】
また、電池確保機能２２は、ステップＳ１４において、優先度２位の通話機能より低い優先度３位の動画再生機能と優先度４位のカメラ機能を動作不可モードに設定する。また、上記と同様に、ステップＳ１５において、電池確保機能２２は、優先度１位のメール機能を通常モードにし、優先度による動作モードを設定する（図５の動作許可状態リスト３４の「残量１５〜１０超」欄の一重枠で図示した部分）。
【００５５】
（電池１１の残量が１０％〜５％超の間）
そして更に電池が消費されて残量が例えば、１０％、９％、８％、７％、６％（５％超）などの各値の場合、ステップＳ１１において、電池確保機能２２は、電池残量確保リスト３２に設定されている動作確保時間を満たすことができなくなっている機能、即ち２０％が設定されている動画再生機能、１５％が設定されている通話機能、及び１０％が設定されているメール機能の３つの機能を抽出する。そして、電池確保機能２２は、ステップＳ１３において、この３つの機能の内で最も優先度の高い機能を優先度リスト３１を参照してチェックし、優先度１位のメール機能であることを確認する。そして、メール機能は省電力モードを有しているので、動作許可状態リスト３４のメール機能を省電力モードにし、動作確保時間を保証する（図５の動作許可状態リスト３４の「残量１０〜５超」欄の二重枠で図示した部分）。
【００５６】
また、ステップＳ１４において、電池確保機能２２は、優先度１位のメール機能より低い優先度２位の通話機能と優先度３位の動画再生機能と優先度４位のカメラ機能を動作不可モードに設定し、優先度による動作モードを設定する（図５の動作許可状態リスト３４の「残量１０〜５超」欄の一重枠で図示した部分）。なお、この場合はメール機能より優先度の高い機能はないため、ステップＳ１５の動作は実質的に行われない。
【００５７】
（電池１１の残量が５％以下の間）
その後、更に電池が消費されて電池残量が例えば、５％、４％、３％、２％、１％、０％などの各値の場合、制御部２が動作できる範囲においては、ステップＳ１１において、電池確保機能２２は、動画再生機能、通話機能、メール機能、および、カメラ機能の全ての機能が動作確保時間を満たすことが出来なくなっていることを検出する。したがって、ステップＳ１３において、電池確保機能２２は、この４つの機能の内の最も優先度の高い機能を優先度リスト３１でチェックし、優先度１位のメール機能であることを確認する。そして、メール機能は省電力モードを有しているので、動作許可状態リスト３４のメール機能を省電力モード許可に設定し、動作確保時間を保証する（図５の動作許可状態リスト３４の「残量５〜０％」欄の二重枠で図示した部分）。
【００５８】
また、ステップＳ１４において、優先度１位のメール機能より低い他の機能、即ち、通話機能、動画再生機能、及びカメラ機能を動作不可モードに設定にし、優先度による動作モードを設定する（図５の動作許可状態リスト３４の「残量５〜０％」欄の一重枠で図示した部分）。また、優先度１位のメール機能部１８より高い優先度の機能はないため、ステップＳ１５の動作は実質的に行われない。
【００５９】
以上の結果、電池残量の減少につれて、図５の動作許可状態リスト３４の動作モードに示したように、動作確保時間を保証すべき機能は、二重枠で図示した部分のように推移し、他の機能は、優先度による動作モードが一重枠で図示した部分のように推移する。
【００６０】
なお、電池残量が１００％から徐々に減少して０％になるまでを順を追って説明したが、減少する場合だけでなく、電池が充電されて残量が増えた場合でも、電池残量をチェックして、ステップＳ１１〜Ｓ１５の処理により振り分けられるので、図５の動作許可状態リスト３４の動作モードに示した各状態から任意の状態へと推移することができる。例えば、「残量１０〜５超」欄から「残量１００〜２０超」欄へ直接推移することができる。
【００６１】
次に、ステップＳ１６について説明する。電池確保機能２２は、動作状況リスト３５を読んで、動作中の機能およびこの機能が通常モード、省電力モードどちらで動作中かを確認する。そして、動作中の機能の動作モードが、動作許可状態リスト３４の動作モードに一致しているかをチェックし、不一致の場合、ユーザが設定した動作確保時間を保証するために、動作中の機能に対して、動作許可状態リスト３４の動作モードを通知し（ステップＳ１６）、動作モードの変更を指示する。
【００６２】
この指示を受信した動作中の機能は、指示された動作モードが動作不可モードであれば動作を終了し、また、指示された動作モードが省電力モードであれば、省電力モードに設定に変更する。また、その逆方向の変更も有りうる。なお、変更する場合、制御部２は表示制御部５を制御し、ユーザに対して動作モードの変更があった旨を表示部９を介して報知する。
【００６３】
図６は、本発明の実施例１及び２に係る携帯端末の電池確保機能２２の「許可状態通知」に関する動作を示すフローチャートであり、各機能から動作開始時に電池確保機能２２に問い合わせがあったときの「許可状態通知」が実行される。
【００６４】
なお、電池確保機能２２から各機能、即ち、動画処理制御機能２４、メール処理制御機能２５、通話処理機能２６、およびカメラ制御機能２７への許可状態の通知は、図４のステップＳ１６で示すように、電池残量の変化に伴って常時変化している動作モードの変更指示は、動作中の機能に対して随時行われる。
【００６５】
図６では、各機能が動作を開始する時に、自分の許可された動作モードを確認するために、電池確保機能２２に対して問い合せを行う。
【００６６】
電池確保機能部２２は、動作モードの問い合せがあると、まず、問い合せがあった機能に関して、動作許可状態リスト３４の動作モードをチェックする（ステップＳ２１）。
【００６７】
ステップＳ２１で、問い合せがあった機能について、動作許可状態リスト３４の動作モードが通常モードであれば、動作状況リスト３５に、問い合わのあった機能の名称および通常状態を登録する（ステップＳ２３）。そして、問い合わせのあった機能に対して、通常モードと通知し(ステップＳ２４)、終了する。
【００６８】
なお、ステップＳ２１で、問い合せがあった機能に対し、動作許可状態リスト３４の動作モード状態が動作不可モードに設定されている場合は、問い合わせのあった機能に対して、動作不可モード状態を通知し(ステップＳ２５)、終了する。
【００６９】
更に、ステップＳ２１で、問い合せがあった機能に対し、動作許可状態リスト３４の動作モードが省電力モードであれば、動作状態リスト３５に、問い合わせのあった機能の名称および省電力モードを登録する（ステップＳ２６）。そして、問い合わせのあった機能に対して、省電力モードを通知し(ステップＳ２７)、終了する。
【００７０】
以上に説明したように、本発明の実施例１によれば、ある機能Ｆに初期設定された動作確保時間を保証できる限界の電池残量になった時点以降は、ユーザがその機能Ｆを単独で使用すればその動作確保時間を保証でき、また、その機能Ｆが通常モードのみを持っている場合は、通常モードでこの動作確保時間を保証し、省電力モードを持っている場合は、省電力モードに自動的に切り替え、この動作確保時間よりも更に長い時間を保証できる。
【００７１】
また、前記のある機能Ｆに初期設定された動作確保時間を保証できる限界の電池残量になった時点以降は、その機能Ｆの優先度より低い優先度が設定された他の機能の動作を自動的に禁止する。また、前記機能Ｆに初期設定された動作確保時間を保証できる限界の電池残量になった時点以降は、その機能Ｆの優先度より高い優先度が設定された他の機能については動作を許可することで、機能Ｆの動作をある程度保証しつつ、より優先度の高い機能についてはユーザの判断で使用することが可能となる。
【実施例２】
【００７２】
図７は、本発明の実施例２に係る携帯端末１００の電池確保機能２２の電池残量チェックと動作モードの設定に関する動作フローチャートである。また、図８は、電池残量減少における動作許可状態リスト３４の推移を説明する図である。図１〜図３、図６は、実施例１及び２共通である。
【００７３】
実施例１（図４、図５）では、ある機能Ｆに関して設定した電池残量になった時点以降、その機能Ｆより低い優先度の機能を自動的に動作禁止させ、機能Ｆおよびこの機能Ｆより優先度の高い機能について動作を許容した。
【００７４】
実施例２では、ある機能Ｆに関して設定した電池残量になった時点以降、その機能Ｆを自動的に省電力モードにして動作確保時間を延ばし、その分、機能Ｆより低い優先度の機能についても動作を許容するものである。
【００７５】
電池確保機能２２は、定期的に起動されて電池残量チェックと動作モードの設定を実行する。まず、電池４の現時点の電池残量（％）を電池残量取得機能２３から取得し、取得した電池残量と電池残量確保リスト３２の通常モード時残量及び省電力モード時残量の動作確保時間比率（％）を比較する。そして、現時点の電池残量が電池残量確保リスト３２に登録されている通常モード時残量及び省電力モード時残量以下の機能ブロックを抽出する（ステップＳ３１）。
【００７６】
ステップＳ３１で該当する機能が無いと判定された場合、すなわち、全ての機能について現時点の電池残量が電池残量確保リスト３２の通常モード時残量及び省電力モード時残量に設定されている値を超える場合、動作許可状態リスト３４の全機能の動作モードを通常モードにする（ステップＳ３２）。
【００７７】
一方、ステップＳ３１で該当の機能ブロック有りの場合は、次に、電池残量確保リスト３２の通常モード時残量及び省電力モード時残量のどちらに該当するかの判断を行う（ステップＳ３３）。電池残量確保リスト３２の通常モード時残量は、２０％、１５％、１０％、５％であり、省電力モード時残量は、８．６％、７．５％、２．５％なので、電池残量が２０％〜８．６％超の場合は、「通常モード時残量のみに該当」、電池残量が８．６％〜０％の場合は、「省電力モード時残量に該当」と判断する。
【００７８】
ステップＳ３３で「通常モード時残量のみに該当」（電池残量が２０％〜８．６％超）の場合は、抽出された機能の内、最も優先度の高い機能を特定すると共に、動作許可状態リスト３４に予め記録されている所有モードを参照して、この機能が省電力モードを有している場合は、動作許可状態リスト３４に登録されている動作モードを省電力モードにし、省電力モードを有していない場合は動作許可状態リスト３４に登録されている通常モードにする（ステップＳ３４）。
【００７９】
さらに、全ての機能（この例では４個）に関して、Ｓ３４で特定した最も優先度の高い機能を省電力モードにした場合、その機能の動作確保時間が延びるので、これより低優先度の機能の動作モードを通常モードか省電力モードの動作許可にし、Ｓ３４で特定した最も優先度の高い機能を通常モードにした場合、その機能の動作確保時間は延びないので、これより低優先度の機能の動作モードを動作不可モードにする（ステップＳ３５）。また、全ての機能に関して、Ｓ３４で特定した最も優先度の高い機能より高優先度の機能ブロックを通常モードにする（ステップＳ３６）。
【００８０】
なお、ステップＳ３６において、Ｓ３４で特定した最も優先度の高い機能より高い優先度の機能を通常モードにしてユーザの意思で使用できる利便性を上げたが、省電力モードを有するのであれば省電力モードに設定を変更してもよい。このようにすれば、ステップＳ３４で特定した機能の動作確保時間により近い時間だけ動作を保証することが出来る。
【００８１】
先のステップＳ３３において「省電力モード時残量に該当」（電池残量が８．６％〜０％）の場合は、省電力モード時残量に該当する機能の内、最も優先度の高い機能を特定し、動作許可状態リスト３４に登録されているこの機能の動作モードを省電力モードにする（ステップＳ３７）。
【００８２】
さらに、全ての機能に関して、Ｓ３７で特定した最も優先度の高い機能より低優先度の機能の動作モードを動作不可モードにする。（ステップＳ３８）。これにより、ステップＳ３７での最も優先度の高い機能ブロックに関して、動作確保時間を省電力モードで保証することができる。
【００８３】
また、全ての機能に関して、Ｓ３７で特定した最も優先度の高い機能より高優先度の機能を通常モードにする。（ステップＳ３９）。
【００８４】
以下、ステップＳ３１〜Ｓ３９で示す電池４の残量の推移と動作許可状態リスト３４の動作モードの推移について具体的に説明する。電池残量確保リスト３２に設定されている動作確保時間比率（％）は、ユーザが設定した動作確保時間に相当する残量比率として、通常モード時残量は大きい順から動画再生機能の２０％、通話機能の１５％、メール機能の１０％、カメラ機能の５％に設定され、省電力モード時残量は大きい順から動画再生機能の８．６％、通話機能は省電力モード部を有していないので残量比率なし、メール機能の７．５％、カメラ機能の２．５％に初期設定されている。
【００８５】
（電池１１の残量が１００％〜２０％超の間）
電池１１が満充電状態から消費されて、残量が例えば、１００％、・・、９０％、・・、３０％、・・、２１％（２０％超）などの各値の場合、ステップＳ３１において、電池確保機能２２は「該当の機能ブロック」、すなわち、現在の電池残量が電池残量確保リスト３２の通常モード時残量及び省電力モード時残量に設定された動作確保時間比率（％）の全てを超えていると判定し、ステップＳ３２により、各機能の動作モードを通常モードとする。これにより、図８の動作許可状態リスト３４の「残量１００〜２０超」欄に図示した通常モード状態となる。
【００８６】
（電池１１の残量が２０％〜１５％超の間）
その後、電池が消費され残量が例えば、２０％、１９％、１８％、１７％、１６％（１５％超）などの各値の場合、ステップＳ３１において、電池確保機能２２は、通常モード時残量が２０％に設定されている機能、すなわち動画再生機能を抽出する。そして、ステップＳ３３において、電池確保機能２２は、「通常モード時残量のみに該当」と判断し、ステップＳ３４において、該当の機能の内の最も優先度の高い機能を動画再生機能と特定し、動画再生機能が省電力モードを有しているので、動作許可状態リスト３４の動画再生機能を省電力モードにして動作確保時間を延ばし、動作確保時間を保証する（図８の動作許可状態リスト３４の「残量２０〜１５超」欄の二重枠で図示した部分）。
【００８７】
また、ステップＳ３５において、電池確保機能２２は、優先度３位の動画機能より低い優先度４位のカメラ機能を動作許可状態（この例では省電力モード）にする。また、電池確保機能２２は、ステップＳ３６において、優先度１位のメール機能と優先度２位の通話機能を通常モードにし、優先度による動作モードを設定する（図８の動作許可状態リスト３４の「残量２０〜１５超」欄の一重枠で図示した部分）。
【００８８】
（電池１１の残量が１５％〜１０％超の間）
その後、電池が消費され残量が例えば、１５％、１４％、１３％、１２％、１１％（１０％超）などの各値の場合、ステップＳ３１において、電池確保機能２２は、通常モード時残量が２０％に設定されている動画再生機能機能と、通常モード時残量が１５％に設定されている通話機能を抽出する。そして、ステップＳ３３において、電池確保機能２２は、「通常モード時残量のみに該当」と判断する。そして、ステップＳ３４において、電池確保機能２２は、この２つの機能の内の最も優先度の高い機能を優先度リスト３１でチェックし、優先度２位の通話機能であることを特定すると共に、通話機能が省電力モードを有していないので、動作許可状態リスト３４の通話機能を通常モードにし、動作確保時間を保証する（図８の動作許可状態リスト３４の「残量１５〜１０超」欄の二重枠で図示した部分）。
【００８９】
また、ステップＳ３５において、電池確保機能２２は、通話機能の通常モードでの動作確保時間を保証するために、優先度２位の通話機能より低い優先度３位の動画機能と優先度４位のカメラ機能を動作不可モードにする。また、電池確保機能２２は、ステップＳ３６において、優先度１位のメール機能を通常モードにし、優先度による動作モードを設定する（図８の動作許可状態リスト３４の「残量１５〜１０超」欄の一重枠で図示した部分）。
【００９０】
（電池１１の残量が１０％〜８．６％超の間）
その後、電池が消費され残量が例えば、１０％、９％、８．７％（８．６％超）などの各値の場合、ステップＳ３１において、電池確保機能２２は、通常モード時残量が２０％に設定されている動画再生機能と、通常モード時残量が１５％に設定されている通話機能と、通常モード時残量が１０％に設定されているメール機能を抽出する。そして、ステップＳ３３において、電池確保機能２２は、「通常モード時残量のみに該当」と判断する。そして、ステップＳ３４において、電池確保機能２２は、この３つの機能の内の最も優先度の高い機能を優先度リスト３１でチェックし、優先度１位のメール機能であることを特定すると共に、メール機能は省電力モードを有しているので、動作許可状態リスト３４のメール機能の動作モードを省電力モードにし、動作確保時間を保証する（図８の動作許可状態リスト３４の「残量１０〜８．６超」欄の二重枠で図示した部分）。
【００９１】
また、ステップＳ３５において、電池確保機能２２は、優先度１位のメール機能より低い優先度２位の通話機能と優先度３位の動画再生機能と優先度４位のカメラ機能を省電力モードまたは通常モードで動作許可状態にし、優先度による動作モードを設定する（図８の動作許可状態リスト３４の「残量１０〜８．６超」欄の一重枠で図示した部分）。ステップＳ３６において、優先度１位のメール部１８より高い優先度の機能ブロックはない。
【００９２】
（電池１１の残量が８．６％〜７．５％超の間）
その後、電池が消費され残量が例えば、８．６％、８％、７．６％（７．５％超）などの各値の場合、ステップＳ３１において、電池確保機能２２は、通常モード時残量が２０％に設定されている動画再生機能と、通常モード時残量が１５％に設定されている通話機能と、通常モード時残量が１０％に設定されているメール機能と、省電力モード時残量が８．６％に設定されている動画再生機能を抽出する。そして、ステップＳ３３において、電池確保機能２２は、「省電力モード時残量に該当」と判断する。そして、ステップＳ３７において、電池確保機能２２は、この省電力モード時残量に該当する機能は優先度３位の動画再生機能が１個なので最も高い優先度と特定し、動作許可状態リスト３４の動画再生機能の動作モードを省電力モードにし、動作確保時間を保証する（図８の動作許可状態リスト３４の「残量８．６〜７．５超」欄の二重枠で図示した部分）。
【００９３】
また、ステップＳ３８において、電池確保機能２２は、優先度３位の動画再生機能より低い優先度４位のカメラ機能を動作不可モードにする。また、ステップＳ３９において、電池確保機能２２は、優先度３位の動画再生機能より高い優先度１位のメール機能と優先度２位の通話機能を通常モードにし、優先度による動作モードを設定する（図８の動作許可状態リスト３４の「残量８．６〜７．５超」欄の一重枠で図示した部分）。
【００９４】
（電池１１の残量が７．５％〜５％超の間）
その後、電池が消費され残量が例えば、７．５％、７％、６％（５％超）などの各値の場合、ステップＳ３１において、電池確保機能２２は、通常モード時残量が２０％に設定されている動画再生機能と、通常モード時残量が１５％に設定されている通話機能と、通常モード時残量が１０％に設定されているメール機能と、省電力モード時残量が８．６％に設定されている動画再生機能と、省電力モード時残量が７．５％に設定されているメール機能を抽出する。そして、ステップＳ３３において、電池確保機能２２は、「省電力モード時残量に該当」と判断する。そして、ステップＳ３７において、電池確保機能２２は、この省電力モード時残量に該当する機能の動画再生機能とメール機能の２個の内の最も優先度の高い機能として優先度１位のメール機能を特定し、動作許可状態リスト３４のメール機能の動作モードを省電力モードにし、動作確保時間を保証する（図８の動作許可状態リスト３４の「残量７．５〜５超」欄の二重枠で図示した部分）。
【００９５】
また、ステップＳ３８において、電池確保機能２２は、優先度１位のメール機能より低い全ての機能ブロックを動作不可モードにし、ステップＳ３９において、電池確保機能２２は、優先度１位のメール機能より高い優先度はないことを認識し、優先度による動作モードを設定する（図８の動作許可状態リスト３４の「残量７．５〜５超」欄の一重枠で図示した部分）。
【００９６】
（電池１１の残量が５％〜２．５％超の間）
その後、電池が消費され残量が例えば、５％、４％、３％、２．６％（２．５％超）などの各値の場合、ステップＳ３１において、電池確保機能２２は、通常モード時残量が２０％に設定されている動画再生機能と、通常モード時残量が１５％に設定されている通話機能と、通常モード時残量が１０％に設定されているメール機能と、通常モード時残量が５％に設定されているカメラ機能と、省電力モード時残量が８．６％に設定されている動画再生機能と、省電力モード時残量が７．５％に設定されているメール機能を抽出する。そして、ステップＳ３３において、電池確保機能２２は、「省電力モード時残量に該当」と判断する。そして、ステップＳ３７において、電池確保機能２２は、この省電力モード時残量に該当する機能の動画再生機能とメール機能の２個の内の最も優先度の高い機能として優先度１位のメール機能を特定し、動作許可状態リスト３４のメール機能の動作モードを省電力モードにし、動作確保時間を保証する（図８の動作許可状態リスト３４の「残量５〜２．５超」欄の二重枠で図示した部分）。
【００９７】
また、ステップＳ３８において、電池確保機能２２は、優先度１位のメール機能より低い全ての機能ブロックを動作不可モードにし、ステップＳ３９において、電池確保機能２２は、優先度１位のメール機能より高い優先度はないことを認識し、優先度による動作モードを設定する（図８の動作許可状態リスト３４の「残量５〜２．５超」欄の一重枠で図示した部分）。
【００９８】
（電池１１の残量が２．５％〜０％の間）
その後、電池が消費され残量が例えば、２．５％、２％、１％、０％などの各値の場合、制御部２が動作できる範囲においては、ステップＳ３１において、電池確保機能２２は、通常モード時残量が２０％に設定されている動画再生機能と、通常モード時残量が１５％に設定されている通話機能と、通常モード時残量が１０％に設定されているメール機能と、通常モード時残量が５％に設定されているカメラ機能と、省電力モード時残量が８．６％に設定されている動画再生機能と、省電力モード時残量が７．５％に設定されているメール機能と、省電力モード時残量が２．５％に設定されているカメラ機能を抽出する。そして、ステップＳ３３において、電池確保機能２２は、「省電力モード時残量に該当」と判断する。そして、ステップＳ３７において、電池確保機能２２は、この省電力モード時残量に該当する機能の動画再生機能とメール機能とカメラ機能の３個の内の最も優先度の高い機能として優先度１位のメール機能を特定し、動作許可状態リスト３４のメール機能の動作モードを省電力モードにし、動作確保時間を保証する（図８の動作許可状態リスト３４の「残量２．５〜０％」欄の二重枠で図示した部分）。
【００９９】
また、ステップＳ３８において、電池確保機能２２は、優先度１位のメール機能より低い全ての機能ブロックを動作不可モードにし、ステップＳ３９において、電池確保機能２２は、優先度１位のメール機能より高い優先度はないことを認識し、優先度による動作モードを設定する（図８の動作許可状態リスト３４の「残量２．５〜０％」欄の一重枠で図示した部分）。
【０１００】
以上の結果、電池残量の減少につれて、図８の動作許可状態リスト３４の動作モードに示したように、動作確保時間を保証すべき機能は、二重枠で図示した部分のように推移し、他の機能は、優先度による動作モードが一重枠で図示した部分のように推移する。
【０１０１】
なお、電池残量が１００％から徐々に減少して０％になるまでを順を追って説明したが、減少する場合だけでなく、電池が充電されて残量が増えた場合でも、電池残量をチェックして、ステップＳ３１〜Ｓ３９の処理により振り分けられるので、図８の動作許可状態リスト３４の動作モードに示した各状態から任意の状態へと推移することができる。例えば、「残量７．５〜５超」欄から「残量２０〜１５超」欄へ直接推移することができる。
【０１０２】
次に、ステップＳ４０について説明する。この部分は、実施例１の図４のステップＳ１６と同じである。電池確保機能２２は、動作状況リスト３５を読んで、動作中の機能およびこの機能が通常モード、省電力モードどちらで動作中かを確認する。そして、動作中の機能の動作モードが、動作許可状態リスト３４の動作モードに一致しているかをチェックし、不一致の場合、ユーザが設定した動作確保時間を保証するために、動作中の機能に対して、動作許可状態リスト３４の動作モードを通知し（ステップＳ４０）、動作モードの変更を指示する。
【０１０３】
この指示を受信した動作中の機能は、指示された動作モードが動作不可モードであれば動作を終了し、また、指示された動作モードが省電力モードであれば、省電力モードに設定に変更する。また、その逆方向の変更も有りうる。なお、変更する場合、制御部２は表示制御部５を制御し、ユーザに対して動作モードの変更があった旨を表示部９を介して報知する。
【０１０４】
以上に説明したように、本発明の実施例２によれば、ある機能Ｆに初期設定された動作確保時間を通常モードで保証する電池残量になった時点以降、その機能Ｆが通常モードのみを持っている場合は、通常モードでこの動作確保時間を保証できる。また省電力モードを持っている場合は、省電力モードに自動的に切り替えて動作確保時間を延ばし、その分、低い優先度の他の機能の動作をいきなり動作禁止にするのではなく、一旦、省電力モードまたは通常モード許可状態にし、しばらくは使うことができる。
【０１０５】
そして、さらに電池残量が減って、機能Ｆに初期設定された動作確保時間を省電力モードで保証する電池残量になった時点で、低い優先度の他の機能の動作を自動的に動作禁止にする。これにより、機能Ｆに初期設定された動作確保時間を省電力モードで保証すると共に、低い優先度の他の機能の動作もしばらくは省電力モードまたは通常モードで使えるようにするものである。
【０１０６】
また、前記機能Ｆに初期設定された動作確保時間を保証できる限界の電池残量になった時点以降は、その機能Ｆの優先度より高い優先度が設定された他の機能については動作を許可することで、機能Ｆの動作をある程度保証しつつ、より優先度の高い機能についてはユーザの判断で使用することが可能となる。
【図面の簡単な説明】
【０１０７】
【図１】本発明の実施例１及び２に係る携帯端末のブロック図。
【図２】本発明の実施例１及び２に係る携帯端末の記憶部３に記憶される優先度リスト３１、電池残量確保リスト３２、最大動作時間リスト３３、動作許可状態リスト３４、及び動作状況リスト３５を説明する図。
【図３】本発明の実施例１及び２に係る携帯端末の電池確保値設定機能２１の動作フローチャート。
【図４】本発明の実施例１に係る携帯端末の電池確保機能２２の電池残量チェックと動作モードの設定に関する動作を示すフローチャート。
【図５】本発明の実施例１に係る携帯端末の電池残量減少における動作許可状態リスト３４の推移を説明する図。
【図６】本発明の実施例１及び２に係る携帯端末の電池確保機能２２の「許可状態通知」に関する動作を示すフローチャート。
【図７】本発明の実施例２に係る携帯端末の電池確保制御機能２２の電池残量チェックと動作モードの設定に関する動作フローチャート。
【図８】本発明の実施例２に係る携帯端末の電池残量減少における動作許可状態リスト３４の推移を説明する図。
【符号の説明】
【０１０８】
１  キー操作部
２  制御部
２１  電池確保値設定機能
２２  電池確保機能
２３  電池残量取得機能
２４  動画処理制御機能
２５  メール処理制御機能
２６  通話処理機能
２７  カメラ制御機能
３  記憶部
３１  優先度リスト
３２  電池残量確保リスト
３３  最大動作時間リスト
３４  動作許可状態リスト
３５  動作状況リスト
４  電池
５  表示制御部
６  画像処理部
７  音声処理部
８  カメラ
９  表示部
１０  マイクロフォン
１１  スピーカ
１２  無線送受信部
１３  アンテナ
１４  スイッチ回路
１００  携帯端末
【図１】
2009130860.tif 000003
【図２】
2009130860.tif 000004
【図３】
2009130860.tif 000005
【図４】
2009130860.tif 000006
【図５】
2009130860.tif 000007
【図６】
2009130860.tif 000008
【図７】
2009130860.tif 000009
【図８】
2009130860.tif 000010